(57)【要約】【課題】従来のものよりも景品補充の作業や管理の容易化を図ることができる景品獲得ゲーム機を提供する。【解決手段】景品Ｐを景品配置エリア２０から景品獲得用エリア５０Ａに移動させることによって景品Ｐを獲得するのに利用される景品移動手段３，４Ａ，４Ｂと、獲得に失敗して景品回収用エリア５０Ｂに入った景品Ｐを回収する景品回収手段６と、を備えている景品獲得ゲーム機Ａであって、景品回収手段６によって回収された景品Ｐを景品配置エリア２０に戻す動作が可能な景品戻し機構７を備えている。【選択図】　図３
2004073575.tif 000002
【特許請求の範囲】
【請求項１】
景品を景品配置エリアから景品獲得用エリアに移動させることによって上記景品を獲得するのに利用される景品移動手段と、
獲得に失敗して景品回収用エリアに入った景品を回収する景品回収手段と、
を備えている、景品獲得ゲーム機であって、
上記景品回収手段によって回収された景品を上記景品配置エリアに戻す動作が可能な景品戻し機構を備えていることを特徴とする、景品獲得ゲーム機。
【請求項２】
上記景品回収手段は、上記景品配置エリアおよび上記景品回収用エリアよりも下方に配される回収ボックスと、上記景品回収用エリアに入って落下した景品を受けてから上記回収ボックス内に収容させるように搬送させる搬送手段と、を有しているとともに、
上記景品戻し機構は、上記回収ボックスを上記景品配置エリアよりも上方に上昇させてから上記回収ボックス内の景品を上記景品配置エリアに投入する動作と、この投入動作後に上記回収ボックスを元の配置状態に下降復帰させる動作とが可能に構成されている、請求項１に記載の景品獲得ゲーム機。
【請求項３】
上記景品戻し機構は、上記回収ボックス内に溜まった景品の量を検出するための検出手段を有し、かつこの検出手段によって検出された景品の量が予め定められた量に達したときには、上記景品を上記景品配置エリアに戻す動作を行なうように構成されている、請求項２に記載の景品獲得ゲーム機。
【請求項４】
上記景品回収手段の上記搬送手段は、上記回収ボックスが上昇しているときには上記景品の搬送を中止し、かつ上記景品回収用エリアから落下してくる景品をこの搬送手段上に溜めるように構成されている、請求項２または３に記載の景品獲得ゲーム機。
【請求項５】
中空円板状の回転テーブルを備え、この回転テーブルの上面が上記景品配置エリアとされており、かつ、
上記回収ボックスは、上記回転テーブルの中心領域を通過して昇降を行なうように構成されている、請求項２ないし４のいずれかに記載の景品獲得ゲーム機。
【請求項６】
上記回収ボックス内に上記景品が収容されるときにこの回収ボックス内に位置してこの回収ボックス内に収容される景品を支持する補助部材を備えており、かつ、
この補助部材は、上記回収ボックスに相対して昇降自在とされていることによって、上記回収ボックス内の景品を上記回収ボックスよりも上方に持ち上げて上記回収ボックスの外部に排出させる動作が可能に構成されている、請求項２ないし５のいずれかに記載の景品獲得ゲーム機。
【請求項７】
上記補助部材は、円錐状または円錐台状のフランジ部を有しており、かつこの補助部材が上記回収ボックス内に位置しているときには、このフランジ部上に景品が載るように構成されている、請求項６に記載の景品獲得ゲーム機。
【請求項８】
上記景品戻し機構が上記景品配置エリアに景品を戻す動作を実行するときに、音響装置および／または照明装置を予め定められた状態に駆動させる制御手段を備えている、請求項１ないし７のいずれかに記載の景品獲得ゲーム機。
【発明の詳細な説明】
【０００１】
【発明の属する技術分野】
本願発明は、景品獲得ゲーム機に関する。
【０００２】
【従来の技術】
景品獲得ゲーム機は、一般的には、遊戯者が操作スイッチを操作して所定の景品移動手段を動作させることにより、回転テーブルなどの景品配置エリアに配されている景品を取り出すようにされている。そして、この景品が所定の景品獲得用エリアに運び込まれると、これを遊戯者が獲得できるようになっている。このようなゲーム機では、遊戯者が景品配置エリアから景品を取り出した後に、この景品を景品獲得用エリアに適切に運び込むことに失敗し、この景品が景品配置エリアからはみ出してしまう場合がある。このような景品をそのまま放置していたのでは、体裁が悪い。また、ゲーム機の各部の動作に支障を生じるような場合もある。
【０００３】
そこで、従来においては、たとえば特開平１０─２７７２５５号公報に記載された景品獲得ゲーム機がある。この従来の景品獲得ゲーム機は、獲得に失敗して所定のエリアに落下した景品については、ベルトコンベアを用いて搬送されることにより回収ボックスに回収されるように構成されている。
【０００４】
【発明が解決しようとする課題】
景品獲得ゲーム機においては、遊戯者によって景品が獲得される場合に加え、景品の獲得までには至らないものの景品配置エリアから景品が取り出される場合もあり、景品獲得ゲーム機の管理者は、景品配置エリアの景品残量がある程度まで減少したときには、景品補充を行なわねばならない。これに対し、上記従来技術においては、獲得に失敗した景品を回収ボックスに回収し得るに過ぎない。このため、上記従来技術においては、回収した景品を景品配置エリアに戻すには、これを人手によって行なわねばならず、この作業が煩わしいものとなっていた。また、人手によって景品を景品配置エリアに戻すときには、景品獲得ゲーム機の使用を中止しておく必要があり、この点においても不便を生じていた。さらには、景品獲得ゲーム機の管理者は、景品配置エリアの景品の残量が十分か否かについて、ゲーム機を頻繁に監視しておく必要があり、このような管理面においても不便を生じていた。
【０００５】
本願発明は、このような事情のもとで考え出されたものであって、従来のものよりも景品補充の作業や管理の容易化を図ることができる景品獲得ゲーム機を提供することをその課題としている。
【０００６】
【発明の開示】
上記の課題を解決するため、本願発明では、次の技術的手段を講じている。
【０００７】
本願発明によって提供される景品獲得ゲーム機は、景品を景品配置エリアから景品獲得用エリアに移動させることによって上記景品を獲得するのに利用される景品移動手段と、獲得に失敗して景品回収用エリアに入った景品を回収する景品回収手段と、を備えている景品獲得ゲーム機であって、上記景品回収手段によって回収された景品を上記景品配置エリアに戻す動作が可能な景品戻し機構を備えていることを特徴としている。
【０００８】
本願発明によれば、獲得に失敗した景品については、景品回収手段によって回収した後に、上記景品戻し機構を利用して上記景品配置エリアに戻すことが可能であり、このことによって景品補充がなされる。したがって、従来技術とは異なり、景品補充を人手によって行なう必要がなくなり、便利となる。また、景品補充は、ゲームを中止することなく実行することも可能となるため、より便利となる。さらに、景品獲得に失敗した景品を上記景品配置エリアに定期的にまたは不定期で自動的に戻すようにすれば、景品配置エリアの景品の残量が急激に減少するといったことが抑制されるために、管理者が景品の残量を監視する負担も軽減される。
【０００９】
本願発明の好ましい実施の形態においては、上記景品回収手段は、上記景品配置エリアおよび上記景品回収用エリアよりも下方に配される回収ボックスと、上記景品回収用エリアに入って落下した景品を受けてから上記回収ボックス内に収容させるように搬送させる搬送手段と、を有しているとともに、上記景品戻し機構は、上記回収ボックスを上記景品配置エリアよりも上方に上昇させてから上記回収ボックス内の景品を上記景品配置エリアに投入する動作と、この投入動作後に上記回収ボックスを元の配置状態に下降復帰させる動作とが可能に構成されている。このような構成によれば、獲得に失敗した景品を上記回収ボックスに回収させる動作、およびこの回収ボックスに回収された景品を上記景品配置エリアに戻す動作を、構成が簡易な手段により、的確に実行することができる。
【００１０】
本願発明の好ましい実施の形態においては、上記景品戻し機構は、上記回収ボックス内に溜まった景品の量を検出するための検出手段を有し、かつこの検出手段によって検出された景品の量が予め定められた量に達したときには、上記景品を上記景品配置エリアに戻す動作を行なうように構成されている。このような構成によれば、上記回収ボックスに溜まった景品の量が所定量に達する都度、この景品を景品配置エリアに戻す動作が行われるために、景品獲得ゲーム機の管理負担を一層少なくすることができる。
【００１１】
本願発明の好ましい実施の形態においては、上記景品回収手段の上記搬送手段は、上記回収ボックスが上昇しているときには上記景品の搬送を中止し、かつ上記景品回収用エリアから落下してくる景品をこの搬送手段上に溜めるように構成されている。このような構成によれば、上記回収ボックスが上昇しているときに上記搬送手段が上記回収ボックスとは異なる部分に向けて景品を不当に搬送するといった不具合が生じないようにすることができる。また、上記回収ボックスが上昇している間は、獲得に失敗した景品を上記搬送手段上に溜めておくことができるから、その後上記回収ボックスが元の位置に下降したときには上記景品を上記回収ボックスに向けて搬送し、上記回収ボックス内に適切に収容させることもできる。
【００１２】
本願発明の好ましい実施の形態においては、中空円板状の回転テーブルを備え、この回転テーブルの上面が上記景品配置エリアとされており、かつ上記回収ボックスは、上記回転テーブルの中心領域を通過して昇降を行なうように構成されている。中空円板状の回転テーブルは、景品の搬送機能からすると、その中心領域がいわゆるデッドスペースとなるが、上記構成によれば、このデッドスペースとなる部分を上記回収ボックスの昇降スペースとして利用しているために、スペース効率が良く、ゲーム機全体の小型化などを図るのに好適となる。
【００１３】
本願発明の好ましい実施の形態においては、上記回収ボックス内に上記景品が収容されるときにこの回収ボックス内に位置してこの回収ボックス内に収容される景品を支持する補助部材を備えており、かつこの補助部材は、上記回収ボックスに相対して昇降自在とされていることによって、上記回収ボックス内の景品を上記回収ボックスよりも上方に持ち上げて上記回収ボックスの外部に排出させる動作が可能に構成されている。このような構成によれば、上記回収ボックス内への景品の収容、およびこの収容された景品を上記回収ボックスの外部に排出させることによって景品配置エリアに戻す動作が、構成が簡易な手段により、適切に行なうことができる。
【００１４】
本願発明の好ましい実施の形態においては、上記補助部材は、円錐状または円錐台状のフランジ部を有しており、かつこの補助部材が上記回収ボックス内に位置しているときには、このフランジ部上に景品が載るように構成されている。このような構成によれば、上記補助部材が上記回収ボックスの上方に突出するように上昇したときには、上記フランジ部上の景品は、上記フランジ部が円錐状または円錐台状であることにより、四方に分散して落とされることとなる。したがって、景品配置エリアに複数の景品がひとかたまりになって戻されないようにするのに好適となる。
【００１５】
本願発明の好ましい実施の形態においては、上記景品戻し機構が上記景品配置エリアに景品を戻す動作を実行するときに、音響装置および／または照明装置を予め定められた状態に駆動させる制御手段を備えている。このような手段によれば、景品を景品配置エリアに戻すときには、音響効果および／または照明効果により、遊戯者を楽しませることができる。
【００１６】
本願発明のその他の特徴および利点については、以下に行う発明の実施の形態の説明から、より明らかになるであろう。
【００１７】
【発明の実施の形態】
以下、本願発明の好ましい実施の形態について、図面を参照しつつ具体的に説明する。
【００１８】
図１は、本願発明に係る景品獲得ゲーム機の一例を示す斜視図である。本実施形態の景品獲得ゲーム機Ａは、筐体部１０と、この筐体部１０上に取り付けられた透明なガラス製または合成樹脂製の１または複数の仕切り部材１１によって囲まれた空間室１２と、この空間室１２の上部を覆う天井部１３とを有している。筐体部１０の外面部分には、複数の操作スイッチ１４を備えた操作パネルや、景品取り出し口１５が設けられている。天井部１３やその他の適所には、照明装置１６と、スピーカを備えた音響装置１７とが設けられている。
【００１９】
空間室１２内には、回転テーブル２、複数の景品取り出し装置３、複数の固定テーブル４Ａ、および複数のスライドテーブル４Ｂが設けられている。図２に示すように、回転テーブル２の外周囲にはパネル５０が設けられおり、かつこのパネル５０には、景品獲得用開口部５０Ａと、景品回収用開口部５０Ｂとが設けられている。景品獲得用開口部５０Ａは、本願発明でいう景品獲得用エリアの一例に相当する。景品回収用開口部５０Ｂは、本願発明でいう景品回収用エリアの一例に相当する。
【００２０】
この景品獲得ゲーム機Ａにおいては、回転テーブル２上の景品Ｐが景品取り出し装置３によって固定テーブル４Ａ上に運ばれ、かつその後スライドテーブル４Ｂによって景品獲得用開口部５０Ａ上に落とされると、これが景品取り出し口１５にガイドされて、遊戯者によって獲得されるようになっている。このような獲得に失敗し、固定テーブル４Ａ上から景品回収用開口部５０Ｂに落ちた景品Ｐについては、後述する手段によって回収され、かつ回転テーブル２上に戻されるようになっている。なお、図２においては、景品回収用開口部５０Ｂが比較的小さなサイズに形成され、かつ固定テーブル４Ａの両側方のみに設けられているが、この景品回収用開口部５０Ｂは、たとえば回転テーブル２から景品Ｐがずれ落ちたときにこの景品Ｐがこの景品回収用開口部５０Ｂ内に入るような配置およびサイズに形成可能であることは勿論である。
【００２１】
回転テーブル２は、複数の景品Ｐを一定の経路で循環搬送するためのものであり、図示されていないモータの駆動力により矢印Ｎ１方向に回転自在である。この回転テーブル２は、中空円板状であり、この回転テーブル２の上面２０が、本願発明でいう景品配置エリアの一例に相当する。景品Ｐとしては、ぬいぐるみ、人形、その他のキャラクターグッズ、キャンディなどの菓子類、あるいはコイン類など、種々の物品を用いることが可能であり、その具体的な物品の種類は限定されない。
【００２２】
景品取り出し装置３は、一対のショベル３０を備えた人形の外観形態を有する動作部３１と、この動作部３１を支持する水平軸３２と、水平軸３２の一端を支持する支持部３３とを有している。動作部３１は、水平軸３２に沿った矢印Ｎ２方向の往復動と、水平軸３２を中心として矢印Ｎ３方向に回転することによる一対のショベル３０の昇降動作とが自在に構成されたものである。一対のショベル３０は、これらを支持する２つの支持軸３０ａの中心軸Ｃ周りの矢印Ｎ４方向に回転自在である。これら一対のショベル３０は、このような回転を行なうことにより、下降しながら互いに接近して景品Ｐをすくい取る動作が可能である。動作部３１の人形の内部には、上記した動作部３１の水平方向の往復動や一対のショベル３０の回転を行なわせるための機構（図示略）が組み込まれ、また支持部３３には、水平軸３２を回転させて動作部３１を矢印Ｎ３方向に回転させるための機構（図示略）が組み込まれている。
【００２３】
この景品取り出し装置３においては、操作スイッチ１４の操作によって次のような動作が可能である。すなわち、まず、動作部３１は回転テーブル２の一側方上方の所定のスタートポジションから回転テーブル２の上方まで水平移動する。その後、この動作部３１は水平軸３２周りに回転し、このことによって一対のショベル３０が下降する。次いで、一対のショベル３０が回転テーブル２上の景品Ｐをすくい取る。その後動作部３１は上記とは逆の動作を行ない、固定テーブル４Ａの上方まで移動した後に、一対のショベル３０が開き、すくい取った景品Ｐが固定テーブル４Ａ上に置かれる。
【００２４】
固定テーブル４Ａは、たとえば平板状であり、回転テーブル２の外周囲に固定して設けられている。スライドテーブル４Ｂは、固定テーブル４Ａ上において矢印Ｎ５方向に一定のストロークで往復動自在である。このスライドテーブル４Ｂは、遊戯中は常時往復動を行なうように構成されている。固定テーブル４Ａ上に置かれた景品Ｐがこのスライドテーブル４Ｂによって押圧される場合、矢印Ｎ６に示すように景品獲得用開口部５０Ａに落とされる場合と、矢印Ｎ７に示すように景品回収用開口部５０Ｂに落とされる場合とがある。景品獲得用開口部５０Ａは、図３に示すように景品取り出し口１５に繋がっており、この景品取り出し口１５に景品Ｐがガイドされることによって遊戯者はこの景品Ｐを獲得する。
【００２５】
本実施形態の景品獲得ゲーム機Ａは、図３によく表われているように、固定テーブル４Ａ上から景品回収用開口部５０Ｂに落ちた景品Ｐを回収ボックス８０に回収するための景品回収機構６と、回収ボックス８０内に回収された景品Ｐを回転テーブル２上に戻すための景品戻し機構７と、これらの機構の動作制御を実行する制御部８１とを備えている。
【００２６】
景品回収機構６は、ガイド部材６１と、モータＭ１によって駆動されるコンベア６２とを有している。ガイド部材６１は、景品回収用開口部５０Ｂからその下方に落ちる景品Ｐをコンベア６２上にガイドするためのものであり、ホッパー状または傾斜板状である。コンベア６２は、回転テーブル２の下方に配されており、ガイド部材６１によってガイドされてきた景品Ｐを受け止め、かつこの景品Ｐを回収ボックス８０の上方またはその近傍まで搬送してから回収ボックス８０内に投入可能に設けられている。回収ボックス８０は、上部開口状のボックスである。
【００２７】
景品戻し機構７は、回収ボックス８０を昇降させるための昇降機構７０、回収ボックス８０内に配された補助部材７１、この補助部材７１を昇降させるための昇降機構７２、および複数のセンサ７３ａを備えている。
【００２８】
複数のセンサ７３ａは、回収ボックス８０内に収容された景品Ｐの量を検出するためのものであり、たとえば景品Ｐを光学的に検知可能なものが用いられている。これら複数のセンサ７３ａは、異なる高さに配されており、回収ボックス８０内の景品Ｐの収容量がどの程度であるのかを複数段階で判別し得る構成とされている。もちろん、本願発明においては、本実施形態とは異なり、センサ７３ａを１つだけ用いることにより、回収ボックス８０内が景品Ｐによって満杯またはそれに近い状態であるか否かのみを判断させる構成とすることもできる。また、景品Ｐの量を検出するための手段としては、光学的センサ以外の種々のセンサを用いることが可能である。
【００２９】
昇降機構７０は、たとえば上下に配された一対のプーリ７０ａ，７０ｂにベルト７０ｃを掛け廻し、かつこのベルト７０ｃをモータＭ２の駆動力によって上下方向に循環移動自在としたものである。回収ボックス８０は、そのブラケット部８０ａがベルト７０ｃに取り付けられており、ベルト７０ｃに伴って矢印Ｎ８方向に昇降自在である。より詳細には、この回収ボックス８０は、通常時にはコンベア６２から景品Ｐを受け取ることが可能に回転テーブル２の中心部の直下に位置するが、昇降機構７０の作動によって上昇したときには、図４に示すように、回転テーブル２の中央部内に位置し、回収ボックス８０の上縁が回転テーブル２の上面２０よりも高くなるように構成されている。
【００３０】
補助部材７１は、回収ボックス８０の底部を覆うようにして回収ボックス８０内に配置可能であり、円錐状または円錐台状のフランジ部７１ａを有している。回収ボックス８０に景品Ｐが収容されるときには、このフランジ部７１ａ上に景品Ｐが載る。昇降機構７２は、回収ボックス８０に組み付けられており、回収ボックス８０に支持されて鉛直方向に延びるネジ軸７２ａと、このネジ軸７２ａをギヤ７２ｂ，７２ｃを介して回転するためのモータＭ３とを有している。ネジ軸７２ａには、補助部材７１の上部に形成された雌ネジ部７１ｂが螺合している。補助部材７１は回収ボックス８０との相対回転が不能に設けられている。このことにより、補助部材７１はネジ軸７２ａが回転すると、送りネジ機構の原理によってネジ軸７２ａに沿って昇降可能である。この補助部材７１の上昇は、図５に示すように、補助部材７１のフランジ部７１ａの全体または略全体が回収ボックス８０の上方に突出する高さまで可能である。
【００３１】
制御部８１は、たとえばマイクロコンピュータを用いて構成されており、昇降機構７０，７２やコンベア６２などの動作制御を行なうように構成されている。より具体的には、制御部８１は、複数のセンサ７３ａによって回収ボックス８０内の景品Ｐの量が予め定められた量に達したことが検出されると、その時点でモータＭ２を駆動させて回収ボックス８０を図４に示す高さまで上昇させる。制御部８１は、その後モータＭ３を駆動させて補助部材７１を図５に示す高さまで上昇させる動作を行なわせた後に、補助部材７１および回収ボックス８０を元の高さに下降させる制御を行なうように構成されている。制御部８１は、コンベア６２を常時駆動させているが、上記した回収ボックス８０の上昇時には、コンベア６２を停止させ、かつ回収ボックス８０がその後元の位置に復帰したときにはコンベア６２の駆動を再開させる制御を行なうように構成されている。また、制御部８１は、回収ボックス８０を上昇させるときには、照明装置１６やスピーカなどの音響装置１７を駆動し、通常のゲーム実行時とは異なる照明や音響を生じさせるように構成されている。
【００３２】
次に、景品獲得ゲーム機Ａの使用例ならびに作用について説明する。
【００３３】
この景品獲得ゲーム機Ａにおいては、図２に示したとおり、景品取り出し装置３を利用して回転テーブル２上の景品Ｐを固定テーブル４Ａ上に運び、スライドテーブル４Ｂによって押圧された景品Ｐが景品獲得用開口部５０Ａに落下すれば、遊戯者がこれを獲得する。これに対し、景品Ｐが景品回収用開口部５０Ｂに落下すると、この景品Ｐは、図３を参照して説明したとおり、コンベア６２上にガイドされてからこのコンベア６２によって回収ボックス８０内に投入され、回収される。
【００３４】
回収ボックス８０内に回収された景品Ｐがたとえば満杯または略満杯になると、これがセンサ７３ａにより検出されるために、制御部８１の制御によりコンベア６２の駆動が停止されてから、回収ボックス８０がモータＭ２の駆動によって図４に示す高さまで上昇する。次いで、制御部８１の制御によりモータＭ３が駆動し、図５に示すように、回収ボックス８０に相対して補助部材７１が上昇する。
【００３５】
補助部材７１が上昇すると、回収ボックス８０内の景品Ｐはこの補助部材７１によって回収ボックス８０の上方に持ち上げられるため、回収ボックス８０の周囲にこぼれ落ちて、回転テーブル２上に戻されることとなる。補助部材７１のフランジ部７１ａは、円錐状または円錐台状であるために、このフランジ部７１ａは複数の景品Ｐをもち上げたときにこれら複数の景品Ｐを補助部材７１の四方に分散させてばら撒く作用を発揮する。したがって、たとえば回転テーブル２上の１箇所に多くの景品Ｐが固まった状態で戻されるといったことも回避される。
【００３６】
上記したように、景品Ｐを回転テーブル２上に戻す動作は、回転テーブル２の中央部に回収ボックス８０や補助部材７１が上昇することによりなされるが、このような動作は、景品取り出し装置３を利用して回転テーブル２上の景品Ｐを取り出す動作の支障にはならない。したがって、この景品獲得ゲーム機Ａにおいては、遊戯者がゲームを行なっている最中であっても、回転テーブル２上に景品Ｐを戻す作業を行なうことができ、この景品獲得ゲーム機Ａにおけるゲームを停止する必要はない。また、景品Ｐが回転テーブル２上に戻される動作は、それ自体が通常のゲーム動作とは異なるために、これを見ている遊戯者にとって面白いものとなる。とくに、その際には、照明装置１６や音響装置１７が駆動し、通常のゲーム実行時とは異なる照明や音響が発生するために、遊戯者にとってはより面白いものとなる。
【００３７】
景品Ｐを回転テーブル２上に戻す動作が終了すると、その後は制御部８１の制御により、回収ボックス８０が元の位置まで下降するとともに、補助部材７１も回収ボックス８０内の元の位置まで下降復帰する。すると、コンベア６２の運転が再開する。回収ボックス８０が上昇している間は、コンベア６２が止められていたが、その期間中においては獲得に失敗して景品回収用開口部５０Ｂに落下した景品Ｐがコンベア６２上に溜められており、コンベア６２の運転再開時にこれらが回収ボックス８０に向けて搬送される。したがって、回収ボックス８０の上昇に伴わせてコンベア６２の運転を一時的に中断しても、これによって景品Ｐの回収作業に支障を生じることはない。回収ボックス８０が上昇しているにも拘わらず、コンベア６２を運転したのでは、景品Ｐが回収ボックス８０内に適切に投入されなくなる不具合を生じるが、本実施形態においてはそのような不具合が適切に回避される。
【００３８】
上記したように、この景品獲得ゲーム機Ａにおいては、獲得に失敗した景品Ｐを回転テーブル２上に戻す動作が機械作業によって実行される。したがって、人手作業によって景品Ｐを戻す必要があった従来技術と比較すると、景品獲得ゲーム機Ａの管理者の管理負担が少なくなる。また、景品Ｐを回転テーブル２上に戻す動作は、制御部８１の制御により、回収ボックス８０内の景品Ｐの量が一定量になる都度自動的に行なわれるために、管理者の管理負担はより軽減される。
【００３９】
図６は、本願発明に係る景品獲得ゲーム機の他の例を示している。同図において、上記実施形態と同一または類似の要素には、上記実施形態と同一の符号を付している。
【００４０】
図６（ａ）に示す構成においては、景品回収用開口部５０Ｂから落下してきた景品Ｐを回収ボックス８０に向けて搬送するための搬送手段として、平板状のスライドガイド板６２Ａが用いられている。このスライドガイド板６２Ａは、軸６２ａを中心として上下方向に揺動自在であり、通常時においては、前下がり（回収ボックス８０寄りの一端が他端よりも下がっている）状態にあり、重力を利用して景品Ｐを回収ボックス８０に向けてスライド搬送可能である。また、このスライドガイド板６２Ａは、同図（ｂ）に示すように、回収ボックス８０が上昇したときには、前上がり状に傾斜するようになっている。このことにより、景品Ｐのスライド搬送を停止し、このスライドガイド板６２Ａ上に景品Ｐを溜めておくことが可能である。
【００４１】
このような構成によっても、上記実施形態のコンベア６２と同様な機能が得られるが、コンベア６２と比較すると、スライドガイド板６２Ａの構成が簡易であるために、ゲーム機全体の構造を簡素にして製作コストを安価にするのに好適である。本実施形態から理解されるように、本願発明においては、回収ボックスに景品を搬送する手段は、コンベアに限定されるものではない。
【００４２】
本願発明に係る景品獲得ゲーム機は、上記した実施形態の内容に限定されない。本願発明に係る景品獲得ゲーム機の各部の具体的な構成は、種々に設計変更自在である。
【００４３】
景品配置エリアは、回転テーブルを用いることなく構成することができる。たとえば、景品を単に静止状態で載せるように構成されたテーブルを用いて、このテーブルの上面を景品配置エリアとすることができる。また、従来技術の欄で述べた特開平１０─２７７２５５号公報に記載されているゲーム機のように、景品を吊り下げ支持しておくような景品配置エリアを採用することもできる。したがって、景品移動手段も、景品をテーブル上からすくい取る動作を行なうものに限定されるものではない。もちろん、固定テーブル４Ａやスライドテーブル４Ｂに相当する手段を具備しないゲーム機として構成することもできる。
【００４４】
景品獲得用エリアや景品回収用エリアも、たとえばパネルに形成された開口部として形成されている必要はなく、またその具体的な位置、サイズ、数なども限定されない。これらはゲームの具体的な内容などに応じて適宜選択できる事項である。
【００４５】
景品戻し機構は、要は、景品回収手段によって回収された景品を景品配置エリアに戻す動作が可能に構成されていればよく、このような動作を実現するための機構としては、上記実施形態以外の種々の構造の機構を採用することが可能である。たとえば、獲得に失敗した景品をコンベアを用いて景品配置エリア上まで搬送して戻すといった動作を行なうものに構成してもかまわない。
【００４６】
本願発明に係る景品獲得ゲーム機においては、既述したとおり、景品の種類は問わず、また具体的なゲームの内容や進行手順なども限定されるものではない。
【図面の簡単な説明】
【図１】本願発明に係る景品獲得ゲーム機の一例を示す斜視図である。
【図２】図１に示す景品獲得ゲーム機の要部斜視図である。
【図３】図１に示す景品獲得ゲーム機の要部断面図である。
【図４】図１に示す景品獲得ゲーム機の動作例を示す要部断面図である。
【図５】図１に示す景品獲得ゲーム機の動作例を示す要部断面図である。
【図６】（ａ），（ｂ）は、本願発明に係る景品獲得ゲーム機の他の例を示す概略説明図である。
【符号の説明】
Ａ　景品獲得ゲーム機
Ｐ　景品
２　回転テーブル
３　景品取り出し装置
４Ａ　固定テーブル
４Ｂ　スライドテーブル
６　景品回収機構（景品回収手段）
７　景品戻し機構
１６　照明装置
１７　音響装置
２０　回転テーブルの上面（景品配置エリア）
５０Ａ　景品獲得用開口部（景品獲得用エリア）
５０Ｂ　景品回収用開口部（景品回収用エリア）
６２　コンベア（搬送手段）
７０　昇降機構
７１　補助部材
７２　昇降機構
７３ａ　センサ（検出手段）
８０　回収ボックス
８１　制御部
【図１】
2004073575.tif 000003
【図２】
2004073575.tif 000004
【図３】
2004073575.tif 000005
【図４】
2004073575.tif 000006
【図５】
2004073575.tif 000007
【図６】
2004073575.tif 000008